(57)【要約】【課題】  優れた装飾もしくは表示を有すると共にトリミングを必要としない仕上部を備え、さらに装飾を従来のシルクスクリーン装置によって施しうるような可撓性プラスチックチューブの製造方法及び装置並びにその中間プラスチック物品を得ることにある。【解決手段】  粘性製品を分配する開口端部のチューブを製造する際に使用するための中間プラスチック物品であって、射出成形された仕上部（１０）と、一体的ショルダ部と、実質的に均一な厚さの一体的な可撓性チューブ状本体部（１１）と、一体的な閉鎖底部（１２）とを含み、前記底部が、チューブ状本体部よりも大きい厚さを有し、かつ、装飾中に容器を回転するための凹部（１３、１４）を有する、上記中間プラスチック物品。【選択図】      図２
2005324560.tif 000002
【特許請求の範囲】
【請求項１】
粘性製品を分配する開口端部のチューブを製造する際に使用するため
の中間プラスチック物品であって、
射出成形された仕上部（１０）と、
一体的ショルダ部と、
実質的に均一な厚さの一体的な可撓性チューブ状本体部（１１）と、
一体的な閉鎖底部（１２）と
を含み、前記底部が、チューブ状本体部よりも大きい厚さを有し、かつ、装飾中に容器を
回転するための凹部（１３、１４）を有する、上記中間プラスチック物品。
【請求項２】
中間プラスチック物品が、前記仕上部にはめられたクロージャ（Ｃ）
を有する請求項１に記載の中間プラスチック物品。
【請求項３】
側壁部と閉鎖底部とを備えた開口端部本体（１１）を有するネジ付仕
上部（１０）を形成させた長手軸線を有する容器から、ネジ付クロージャ（Ｃ）を有する
チューブを製造する方法において、
ネジを有するクロージャ（Ｃ）を固定保持し、
容器をその長手軸線を中心に回転させてクロージャを容器にはめ、そして
容器の長手軸線に対し横方向の軸線に沿って底部を切断することにより、仕上部にはめ
られたクロージャを有するチューブを形成する
工程を含む上記チューブを製造する方法。
【請求項４】
前記閉鎖底部に凹部（１３）を有する容器を形成し、容器を回転させ
る工程が前記凹部を係合させると共に容器を回転させることからなる請求項３に記載の方
法。
【請求項５】
側壁部と閉鎖底部とを備えた開口端部本体（１１）を有するネジ付仕
上部（１０）を形成した長手軸線を有する容器から、ネジ付クロージャ（Ｃ）を有するチ
ューブを製造する装置において、
ネジを有するクロージャを固定保持する手段（５０）と、
容器をその長手軸線を中心に回転させてクロージャを容器にはめる手段（５１）と
を備えることを特徴とする上記装置。
【請求項６】
前記容器の長手軸線に対し横方向の軸線に沿って底部を切断すること
により、仕上部にクロージャをはめたチューブを形成する手段（９０）を備える、請求項
５に記載の装置。
【請求項７】
前記容器が、閉鎖底部に凹部（１３）を有して形成され、容器を回転
させる手段（５１）が、前記凹部を係合させると共に容器を回転させる手段（１６、１７
）からなる請求項６に記載の装置。
【発明の詳細な説明】
【技術分野】
【０００１】
本発明は、たとえば私的ケア製品などの粘性製品を収容すると共に分配（ディスペンス
）するため用いられる可撓性チューブの製造方法及び装置並びにその中間プラスチック物
品に関する。
【背景技術】
【０００２】
この種の可撓性チューブの１製作方法においては、ネジ付首部を規定する取付具を開口
端部チューブに取付け、次いで製品をチューブの他端部を介して充填し、この他端部を閉
鎖する。
【０００３】
この種の可撓性チューブの他の作成方法においては、一体的首部を有する中空容器を、
たとえば吹込成形により形成し、容器の底部を容器から切除し、容器をマンドレル上に載
置した後、装飾を開口端部容器に施し、クロージャを仕上部に施し、次いで容器に開口端
部を介して充填すると共に開口端部を封止する。
【特許文献１】米国特許第２，７１０，９８７号
【特許文献２】米国特許第２，９１１，６７３号
【発明の開示】
【発明が解決しようとする課題】
【０００４】
本発明の課題は、優れた装飾もしくは表示を有し、トリミングを必要としない仕上部を
備え、さらに装飾を慣用のシルクスクリーン装置により施しうるような可撓性チューブの
製造方法及び装置並びにその中間プラスチック物品を提供することにある。
【課題を解決するための手段】
【０００５】
本発明によれば、粘性製品を分配する開口端部のチューブを製造する際に使用するため
の中間プラスチック物品は、射出成形された仕上部と、一体的ショルダ部と、実質的に均
一な厚さの一体的な可撓性チューブ状本体部と、一体的な閉鎖底部とを含み、前記底部が
、チューブ状本体部よりも大きい厚さを有し、かつ、装飾中に容器を回転するための凹部
を有する。
【０００６】
また、本発明によれば、側壁部と閉鎖底部とを備えた開口端部本体を有するネジ付仕上
部を形成させた長手軸線を有する容器から、ネジ付クロージャを有するチューブを製造す
る方法は、ネジを有するクロージャを固定保持し、容器をその長手軸線を中心に回転させ
てクロージャを容器にはめ、そして容器の長手軸線に対し横方向の軸線に沿って底部を切
断することにより、仕上部にはめられたクロージャを有するチューブを形成する工程を含
む。
【０００７】
また、本発明によれば、側壁部と閉鎖底部とを備えた開口端部本体を有するネジ付仕上
部を形成した長手軸線を有する容器から、ネジ付クロージャを有するチューブを製造する
装置は、ネジを有するクロージャを固定保持する手段と、容器をその長手軸線を中心に回
転させてクロージャを容器にはめる手段とを備える。
【０００８】
可撓性プラスチックチューブを作成する方法は、開口部を有する仕上部を射出成形し、
押出オリフィスに対し仕上部を適切に移動させてチューブを仕上部と一体的に押出し、チ
ューブを連続的に押出し続けながら仕上部を押出オリフィスから軸方向に離間移動させ、
押出されたチューブの周囲で吹込金型を閉鎖し、チューブを閉鎖底部を有する一体的容器
本体に吹込み成形し、金型を開放して仕上部を有する一体的な可撓性チューブを形成する
ことから構成することもできる。その後、この方法は本体を表示で装飾し、チューブの閉
鎖端部を切断して仕上部とは反対側の端部の開口端部チューブを残し、さらにクロージャ
を仕上部に施すことができる。クロージャは、底部を容器から切断する前または後のいず
れかに施される。好ましくはクロージャは装飾後に仕上部に施される。次いでチューブに
刃開口端部を介して充填し、開口端部を封止する。装飾の工程は、仕上部と底部とを係合
させながらチューブの長手軸線を中心としてチューブを回転させることを含む。好ましく
は装飾の工程は、容器をシルクスクリーン印刷装置に対し相対回転させることからなって
いる。射出成形および押出成形の工程は好ましくは、線状低密度ポリエチレンを射出およ
び押出すことからなっている。しかしながら、高密度ポリエチレンおよび低密度ポリエチ
レンも使用することができる。
【発明を実施するための最良の形態】
【０００９】
充填容器を作成するための順次の工程Ａ−Ｆの略図である図１を参照して、第１工程Ａ
は容器の首部もしくは仕上部を最初に射出成形し、次いでチューブを射出成形された仕上
部と一体的に押出し、金型をチューブの周囲で閉鎖すると共にチューブを吹込み成形して
容器を形成させる方法および装置により中空プラスチック容器を作成することからなって
いる。この種の方法および装置は、ここに参考のため引用する米国特許第２，７１０，９
８７号および第２，９１１，６７３号に示され、ＢＣ−３装置と知られるようになった装
置で実現される。
【００１０】
さらに図１に示したように、中空吹込容器には次いで表示もしくは装飾を１種もしくは
それ以上の着色およびデザインにて所望に応じ工程Ｂにより施す。図１の工程Ｃはクロー
ジャＣを容器に施すことを示す。次いで容器の底部を工程Ｄにおけるように切除して、工
程Ｅに示したように開口端部のチューブを残す。工程Ｅはクロージャを備えて消費者に供
給されるチューブを示す。開口端部チューブの購入者はチューブに粘性製品を開口端部か
ら充填し、次いでＦにおけるように開口端部を封止する。
【００１１】
クロージャは、第１装飾工程Ｂの後に施すように図示したが、装飾前または装飾後のい
ずれかに施してもよい。好ましくはクロージャは装飾後に施される。
【００１２】
本発明によれば装飾工程は、容器を図２に示したようにシルクスクリーン印刷ステーシ
ョンＰに対し相対回転させ、すなわち容器を固定すると共に容器をこのステーションに対
し相対回転させて行われる。或いは、装飾はチューブの吹込成形に際し金型内ラベリング
により或いは容器を吹込み成形した後にラベルを熱接着させて行うこともできる。
【００１３】
図３〜６を参照して、容器は好ましくは射出成形仕上部１０と、可撓性にするのに充分
薄い厚さの押出された側壁部もしくは本体１１と、キャッピングおよび装飾操作にてチュ
ーブを回転させるようチューブを駆動させうる比較的厚くかつ比較的剛性である一体的な
底壁部１２とを備える。壁部１１は好ましくはたとえば±０．００６インチのような実質
的に一定の厚さを有する。
【００１４】
図５および６に示したように、底壁部１２には凹部１３、１４を形成し、これら凹部は
チャック１８のラグ１６、１７と係合（図２）して、クロージャの装着および印刷に用い
られる。図４に示したように、仕上部１０は好ましくは中心位置する分配用開口部１０ｂ
を有する頂部もしくは横壁部１０ａを備える。
【００１５】
容器は好ましくは線状低密度ポリエチレンで作成される。好適組成は、５の分散指数を
有する線状低密度ポリエチレンである。しかしながら、高密度ポリエチレンおよび低密度
ポリエチレンも使用することができる。
【００１６】
図８を参照して、容器の底部を切除する装置は、倒置された容器ＡにクロージャＣを受
入れるための凹部２１を備えた下側の星型ホイール２０と連携案内レール３２とで構成さ
れる。さらに、この装置は容器本体３４のための凹部を有する上側の星型ホイール３０と
連携案内レール３１とを備える。容器の上端部は、互いに相対的に移動して容器Ａの上端
部を保持する凹部２８、２９を持ったブロック２６、２７により固定される。ギロチン刃
２４をシリンダによりクロージャの底部に対し移動させて容器Ａの底部をこの容器Ａの垂
直もしくは長手軸線に対し９０°である平面に沿って切除する。ギロチン２４はブロック
２６、２７における案内表面２５により案内される。
【００１７】
図７の装置は好ましくは回転タレット３０に隣接するキャップ装着ステーションに位置
せしめ、回転タレットはキャップ装着ステーションに対し間歇的に移動されて容器をクロ
ージャに施す。図８に示した装置はトリミングステーションに位置し、タレット３０は倒
置容器をトリミングステーションに通過移動させて容器の底部を切除する。案内レール３
２はキャップ装着された容器の下端部を容器の底部の切除に際し下側星型ホイールの凹部
に保持する。
【００１８】
図９を参照して、この方法を実施する好適な装置は、タレット４１を回転自在に装着す
ると共に間歇的に駆動される基盤４０よりなっている。タレット４１は、壜もしくは容器
を収容するキャビティ４３を備えた星型ホイール４２を支持する。示した装置は２個のキ
ャップと２個の容器とを１度に取扱うことを意図し、キャップ供給ステーションにキャッ
プ供給装置４４を備えてキャップもしくはクロージャを１個づつタレットの基盤に供給し
；さらに壜供給ステーションに壜供給装置４５を備えて２本の瓶を１度に傾斜通路に沿っ
て倒立位置まで星型ホイールのキャビティ４３へ供給し（図９）；さらにキャップ装着ス
テーションにキャップ装着装置４６を備えると共にトリミングステーションにトリミング
装置４７を備える。さらに、この装置は壜排出ステーションおよび壜取出ステーションを
も備える。
【００１９】
図１０〜１４を参照して、キャップ装着装置４６はキャップ保持部材５０を備え、静置
された壜Ａをチャック５１の回転により回転させながら２個のクロージャＣを固定保持す
るのに適する。キャップ保持部材５０はカムフォロワローラ５２とレバー５３との係合に
よりクロージャＣに対し半径方向に近づいては離れるよう移動し、レバー５３はローラ５
２に係合する１端部５４およびカム５６に係合する下端部５５を備える（図１２、１３）
。振動メカニズムは、支持プレート５７中にカム５６を上方向および下方向へ移動させる
。上方向および下方向の移動はクランクアーム５９を備えた振動モータ５８により制御さ
れ、固定プレート５７におけるブラケット６１に枢支されたリンク６０と係合する。
【００２０】
図１３を参照して、キャップ保持部材５０は同時に２個のキャップＣに係合する２個の
凹部６２を備える。キャップ保持部材５０はこれにシャフト６３を固定して、固定プレー
ト５０ａにおけるベアリングに摺動自在に装着する。バネ６４をキャップ保持部材５０と
プレート５０ａとの間に介装して、キャップ保持部材５０をカムフォロワ５５がカム５６
に従動する際にクロージャＣの方向へ半径方向に柔軟押圧する。
【００２１】
図９〜１１を参照して、各チャック５１は、このチャック５１とシャフト６６との間に
介装されたトルク制限器６５により回転させるのに適する。シャフト６６上のプーリー６
７は、スプラインシャフト７０上のプーリー６９に懸架されたベルト６８を有する。シャ
フト６６および７０は支持体７１に回転自在に装着されると共に、リニアモータ７２によ
り容器の底部に対し近づいては離れるようして垂直方向に移動する。平面図である図９に
示したように、各チャック５１はこのように駆動される。
【００２２】
図１１および１２に示したように、チャック５１および連携装置を、クランクアーム９
０によりスプラインシャフトに沿って移動するよう支持プレート５７に装着する。操作に
際しチャックを連続回転させ、保持部材を移動させてクロージャを保持し、次いでチャッ
クを下降させてクロージャに係合させる。
【００２３】
図１５〜２１を参照してトリミングステーションにおけるトリミング装置４７は基盤４
０上にカラム８０を備え、このカラムはネジ付シャフト８２とノブ８３とにより垂直方向
に調整自在であるスライド８１を備えて、トリミング装置を上昇および下降させる。この
装置４７はさらに、壜ＡをキャップＣと共に凹部４３に収容かつ保持する円弧状凹部８６
を有する第１固定保持部材８５を備える。円弧状縁部８８を有する第２保持部材８７をナ
イフ９０の上方の固定位置に位置せしめて、切断すべき領域の上方で容器Ａに係合させる
（図１５、１６、２１）。
【００２４】
図１５〜２１に示したように、１対の切断ナイフ９０をスライド９１上に装着して、容
器Ａに対し近づいては離れるよう移動させる。各ナイフ９０はＶ字状切断部縁部を有して
、ナイフ９０の点が容器Ａの本体を刺通するようにする。スライド９１を案内して第２ス
ライド９２上に移動させる。スライド９１はシャフト９４を介しシリンダ９３によって移
動する。第２シリンダ９５はシリンダ９３に装着されたブラケット９６に固定され、第２
スライド９２に接続されたシャフト９７を有する。第１スライド９１は突出部９１ａを備
え、これを第２スライド９２における凹部９２ａに突入させて、ナイフ９０を支持するス
ライドが相対的な制限運動を示すようにする。ナイフ９０を固定案内９７、９８により形
成された水平空間で往復運動させて、ナイフ９０が容器Ａの垂直軸線に対し直角に移動す
るようにする。
【００２５】
第３の可動保持部材９９をナイフ９０の上側および下側に設け、これら保持部材は凹部
８６と連携してナイフ９０の下に容器を保持する凹部１００を備える。第３保持部材９９
をシリンダ８９に接続して、容器Ａに対し近づいては離れるよう移動させる。ナイフの上
側に位置せしめた第２保持部材８７は、切断に際し容器がナイフ９０の方向へ傾斜しない
よう防止する作用を有する。
【００２６】
操作に際し、容器Ａを壜供給ステーションにおける間歇駆動タレットに供給し、次いで
順次にキャップ装着ステーション、壜検査ステーション、トリミングステーション、排出
ステーションおよび取出ステーションに移動させる。
【００２７】
２個の容器に関し装置を説明したが、単一容器および追加容器を取扱うよう容易に改変
することもできる。
【００２８】
したがって、開口部を有する仕上部を射出成形し、押出オリフィスに対する仕上部の適
切な移動によりチューブを仕上部と一体的に押出し、チューブを連続的に押出し続けなが
ら仕上部を押出オリフィスから軸方向に離間するよう移動させ、押出チューブの周囲で吹
込金型を閉鎖し、チューブを閉鎖底部を有する一体的容器本体に吹込み成形し、金型を開
いて仕上部を有する一体的な可撓性チューブを形成することからなる可撓性プラスチック
チューブの作成方法が提供されることが判るであろう。その後、この方法は本体を表示で
装飾し、チューブの閉鎖端部に開口して仕上部とは反対側の端部に開口端部のチューブを
残し、クロージャを仕上部に施すことを含む。クロージャは、容器から底部を切断する前
または後にいずれかに施される。好ましくは、クロージャは装飾後に仕上部に施される。
次いで、チューブには開口端部を介して充填し、開口端部を封止する。装飾の工程は、チ
ューブをチューブの長手軸線を中心として回転させながら仕上部と底部とを係合させるこ
とを含む。装飾の工程は好ましくは、容器をシルクスクリーン印刷装置に対し相対回転さ
せることからなっている。射出成形および押出成形の工程は好ましくは、線状低密度ポリ
エチレンを射出および押出すことからなっている。しかしながら、高密度ポリエチレンお
よび低密度ポリエチレンも使用することができる。
【図面の簡単な説明】
【００２９】
【図１】本発明を具体化する可撓性プラスチックチューブの作成工程の略図。
【図２】容器をシルクスクリーン装飾する装置の略図。
【図３】チューブを作成すべく使用する容器の立面図。
【図４】その平面図。
【図５】その底面図。
【図６】容器の下端部における１部の部分図。
【図７】クロージャを施すための好適方法および装置の部分断面図。
【図８】装飾した後に底部を容器から切除する装置の部分断面立面図。
【図９】ステーションを具体化する装置の平面図。
【図１０】図９に示したキャップ装着ステーションにおけるキャッピング装置の平面図。
【図１１】図１０に示した装置の部分立面図。
【図１２】図１１に示した装置の１部の部分断面立面図。
【図１３】図１２の１３−１３線部分断面図。
【図１４】図１１に示した装置の他の部分における拡大部分立面図。
【図１５】トリミングステーションにおけるトリミング装置の部分平面図。
【図１６】図１５に示した装置の部分断面立面図。
【図１７】図１５に示した装置の１部の拡大部分断面平面図。
【図１８】図１７における１８−１８線部分断面図。
【図１９】図１６における１９−１９線部分断面図。
【図２０】図１８における２０−２０線断面図。
【図２１】図１７における２１−２１線部分断面図。
【図２２】図１６における２２−２２線断面図。
【図２３】他のステーションにおけるクロージャ供給装置の部分断面図。
【符号の説明】
【００３０】
１０    仕上部
１１    本体（側壁部）
１２    底壁部
１３、１４    凹部
１６、１７    ラグ
１８    チャック
【図１】
2005324560.tif 000003
【図２】
2005324560.tif 000004
【図３】
2005324560.tif 000005
【図４】
2005324560.tif 000006
【図５】
2005324560.tif 000007
【図６】
2005324560.tif 000008
【図７】
2005324560.tif 000009
【図８】
2005324560.tif 000010
【図９】
2005324560.tif 000011
【図１０】
2005324560.tif 000012
【図１１】
2005324560.tif 000013
【図１２】
2005324560.tif 000014
【図１３】
2005324560.tif 000015
【図１４】
2005324560.tif 000016
【図１５】
2005324560.tif 000017
【図１６】
2005324560.tif 000018
【図１７】
2005324560.tif 000019
【図１８】
2005324560.tif 000020
【図１９】
2005324560.tif 000021
【図２０】
2005324560.tif 000022
【図２１】
2005324560.tif 000023
【図２２】
2005324560.tif 000024
【図２３】
2005324560.tif 000025